(57)【特許請求の範囲】
【請求項１】
根菜類収穫機の収納タンク内に架設される落下緩衝ホース群の係着機構であって、タンク内の枠材に相対して固定される一対の支持フレーム１と；この支持フレーム１に着脱される連結プレート８の上部縁辺及び／又は下部縁辺に折り曲げプレート９、１０を一体に形成するとともに、この折り曲げプレート９、１０の長手方向に沿って複数のＪ字形フック２ａ〜２ｎの基端部を平行に固着し、このＪ字形フック２ａ〜２ｎの自由端１１ａ〜１１ｎに前記落下緩衝ホース１３の先端係着環１４を着脱自在に係合する構成とした係着部材本体３と；前記支持フレーム１と係着部材本体３の間に介装され、係着部材本体３の連結プレート８背面に対向して着脱自在に連結される合わせプレート１５の上部縁辺及び／又は下部縁辺に、前記係着部材本体３に固着したＪ字形フック２ａ〜２ｎに対応してその自由端１１ａ〜１１ｎに接近又は接して隙間を塞ぐ複数の閉鎖片１６ａ〜１６ｎを一体形成した抜け止め金具４と；を具備し、前記係着部材本体３の連結プレート８と抜け止め金具４の合わせプレート１５の相対する通孔１７に通したボルト５を、前記支持フレーム１のボルト５係合部に着脱自在に結合することを特徴とする根菜類収納タンクの落下緩衝ホース係着機構
【請求項２】
係着部材本体３の折り曲げプレート９、１０の長手方向に沿って固着される複数のＪ字形フック２ａ〜２ｎの係合底部が、折り曲げプレート９、１０の長手方向の一端側から他端側に向かうに従ってタンク内方への張り出し寸法が次第に長くなるように設定するとともに、これに対応して、Ｊ字形フック２ａ〜２ｎの自由端１１ａ〜１１ｎに対向する抜け止め金具４の前記複数の閉鎖片１６ａ〜１６ｎのタンク内張出し寸法を、抜け止め金具４の一端側から他端側に向かうにしたがって次第に広幅に設定したことを特徴とする請求項１記載の根菜類収納タンクの落下緩衝ホース係着機構
【請求項３】
係着部材本体３の折り曲げプレート９、１０の長手方向に沿って固着される複数のＪ字形フック２ａ〜２ｎの係合底部が、折り曲げプレート９、１０の長手方向の左右両側から中央部に向かうにつれてタンク内方への張り出し寸法が次第に長くなるように設定するとともに、これに対応して、Ｊ字形フック２ａ〜２ｎの自由端１１ａ〜１１ｎに対向する抜け止め金具４の前記複数閉鎖片１６ａ〜１６ｎの張出し寸法を、抜け止め金具４の左右両側から中央部に向かうにつれて次第に広幅に設定したことを特徴とする請求項１記載の根菜類収納タンクの落下緩衝ホース係着機構
【発明の詳細な説明】
【技術分野】
【０００１】
本発明は、根菜収穫機の収納タンクに使用する落下緩衝用ゴムホースの係着機構に関する。
【背景技術】
【０００２】
ビートハーベスタなどの根菜収穫機は一般に、トラクタ等に牽引される作業機の機台に収納タンクを搭載し、走行しながら掘り起こした根菜をコンベアでタンクの上方まで揚送し、投入する構造になっている。
この場合、根菜をタンク内にストレートに投入すると、落下加速度で根菜がタンク内の底板やフレームに激突したり、あるいは、タンク内の根菜に衝突したりして傷がつき、商品価値が損なわれてしまう。
これを防止するために、例えば、実開昭５３−１４２４３８号公報、実開平２−４９８２０号公報にはタンク内の途中に、ゴムなどの弾力素材からなる複数本のネットを所定間隔で架け渡し、落下する根菜類をこのネット群で一時的に受け止め、これにより加速度を吸収して根菜類の激突を防止する技術が開示されている。
【特許文献１】実開昭５３−１４２４３８号公報
【特許文献２】実開平２−４９８２０号公報
【発明の開示】
【発明が解決しようとする課題】
【０００３】
この種の緩衝機構は、このゴムネットを支持部材に容易に着脱できるように係着しているが、従来は、図９に示すように、緩衝ホース１３両端の係着環１４を支持部材１８のＵ字形フック１９に係合するだけの着脱構造であるため、伸縮性緩衝ホース１３が根菜類の落下を受けると、その反動で端部の係着環１４が支持部材のＵ字形フック１９の自由端から外れ易く、根菜類の衝突防止が不全になるとともに、その補修にも時間と労力を要していた。
【０００４】
従って、本発明の第１の目的は、緩衝ホースの両端支持部がフック状係着部材から外れろおそれがなく、しかも、ホースの脱着が容易な緩衝ホース係着機構を提供することにある。
【０００５】
ところで、収納タンクの緩衝ホース群はホースのたるみを、ホース群の一側から他側に向けて順次深くするのが望ましい場合、両側から中央部に向けて順次深く設定するのが望ましい場合、さらには、たるみを一様にしたい場合など、種々の形態がある。
実開平２−６１９４４号公報は、ゴムネット群を係着する両側支持部材をＶ字形に配列する実施例や平坦に配列する実施例を開示しているが、この構造では配列を変えるためには配列形態毎に別途の支持部材を用意し、両側支持部材全体を取り外して付け換えなければならず、作業が著しく煩雑になる。
【０００６】
したがって、本発明の第２の目的は、緩衝ホース群に共通の部品を付け換えるだけでホース群のたるみ配列を多様に変更することができる前記緩衝ホース係着機構を提供することにある。
【課題を解決するための手段】
【０００７】
上記第１の目的を達成するために、本発明の基本的な構成は、根菜類収穫機の収納タンク内に架設される落下緩衝ホース群の係着機構であって、タンク内の枠材に相対して固定される一対の支持フレームと；この支持フレームに着脱される連結プレートの上部縁辺及び／又は下部縁辺に折り曲げプレートを一体に形成するとともに、この折り曲げプレートの長手方向に沿って複数のＪ字形フックの基端部を平行に固着し、このＪ字形フックの自由端に前記落下緩衝ホースの先端係着環を着脱自在に係合する構成とした係着部材本体と；前記支持フレームと係着部材本体の間に介装され、係着部材本体の連結プレート背面に対向して着脱自在に連結される合わせプレートの上部縁辺及び／又は下部縁辺に、前記係着部材本体に固着したＪ字形フックに対応してその自由端に接近又は接して隙間を塞ぐ複数の閉鎖片を一体形成した抜け止め金具と；を具備し、前記係着部材本体の連結プレートと抜け止め金具の合わせプレートの相対する通孔に通したボルトを、前記支持フレームのボルト係合部に着脱自在に結合することを特徴とする。
【０００８】
上記第２の目的を達成するために、請求項２の発明は上記機構において、さらに、係着部材本体の折り曲げプレート長手方向に沿って固着される複数のＪ字形フックの係合底部が、折り曲げプレートの長手方向の一端側から他端側に向かうに従ってタンク内方への張り出し寸法が次第に長くなるように設定するとともに、これに対応して、Ｊ字形フックの自由端に対向する抜け止め金具の前記複数閉鎖片のタンク内張出し寸法を、抜け止め金具の一端側から他端側に向かうにしたがって次第に広幅に設定したことを特徴とする。
【０００９】
また、請求項３の発明は、係着部材本体の折り曲げプレート長手方向に沿って固着される複数のＪ字形フックの係合底部が、折り曲げプレートの長手方向の左右両側から中央部に向かうにつれてタンク内方への張り出し寸法が次第に長くなるように設定するとともに、これに対応して、Ｊ字形フックの自由端に対向する抜け止め金具の前記複数閉鎖片の張出し寸法を、抜け止め金具の左右両側から中央部に向かうにつれて次第に広幅に設定したことを特徴とする。
【発明の効果】
【００１０】
本発明の緩衝ホース係着機構は、上記の構成により、係着部材本体の折り曲げ水平プレートに固着した個々のＪ字形フックの自由端が、抜け止め金具の対応閉鎖片によってその間隔が閉塞されるため、Ｊ字形フックの自由端から係合させた緩衝ホースの両端係着環は、緩衝ホースが伸縮の反動で跳ね上げられてもＪ字形フックの自由端から外れるおそれがなくなる。
【００１１】
Ｊ字形フックの自由端と抜け止め金具閉鎖片間の隙間はボルトを締め付けることによって閉鎖され、ボルトを緩めることによって開くので、緩衝ホース係着環の脱着作業が容易である。
【００１２】
係着部材本体の折り曲げプレート長手方向に沿って固着するＪ字形フック係合底部の位置配列を変えることにより、緩衝ホース群の弛み度の配列を、傾斜たるみ、中たるみ、あるいは均一たるみなど種々の形態に設定することができる。
【発明を実施するための最良の形態】
【００１３】
以下に、本発明の好ましい実施形態を添付図面に基づいて説明する。
図１は、本発明による根菜収納タンクの緩衝ホース係着機構を構成する部材と、その組付けを説明するもので、収納タンク（図は省略）の相対する内側フレームに一体結合され、あるいは、内側フレーム自体を構成する支持フレーム１と、複数のＪ字形フック２ａ〜２ｎを固着した係着部材本体３と、前記支持フレーム１と係着部材本体３と抜け止め金具４を組合わせて前記支持フレーム１に脱着するボルト５を具備している。
【００１４】
前記支持フレーム１は長手方向に沿った複数個所（図の実施例では上部2個所、下部１個所）に前記脱着ボルト５を螺着する支持部６を一体に有している。
【００１５】
前記係着部材本体３は、前記ボルト５を通す通孔７を形成した所定縦巾の連結プレート８を有し、この連結プレート８の上部縁辺及び下部縁辺に折り曲げプレート９、１０を一体に形成してある。
この折り曲げ９、１０には、長手方向に沿って複数のＪ字形フック２ａ〜２ｎの基端部を溶接などで平行に固着してあるとともに、Ｊ字形フック２ａ〜２ｎの自由端（先端）１１ａ〜１１ｎに対向して所定の隙間を生成するための切欠き１２ａ〜１２ｎが各々のＪ字形フック２ａ〜２ｎに対応して形成されており、各緩衝ホース１３の端部の係着環１４を、前記切欠き１２ａ〜１２ｎの隙間を介してＪ字形フック２ａ〜２ｎに対応する自由端１１ａ〜１１ｎから外嵌し、係合するようになっている。
【００１６】
前記抜け止め金具４は、前記係着部材本体３に背後から外嵌されるもので、係着部材本体３の連結プレート８の背面に対向する所定縦巾の合わせプレート１５を有し、この合わせプレート１５の上部縁辺及び下部縁辺に、前記係着部材本体３の折り曲げプレート９、１０に固着した前記Ｊ字形フック２ａ〜２ｎの各自由端１１ａ〜１１ｎに近傍して、自由端１１ａ〜１１ｎと切欠き１２ａ〜１２ｎ間の隙間を塞ぐ閉鎖片１６ａ〜１６ｎを一体に形成してある。
抜け止め金具４の前記合わせプレート１５には、係着部材本体３の前記連結プレート８に穿設した通孔７に対応するボルト５の通孔１７が突設されている。
【００１７】
かくして、抜け止め金具４を係着部材本体３の背面から、抱き合わせるようにして対向させ、対応する相互の通孔７、１７にボルト５を挿入して支持フレーム１の支持部６にボルト５の先端を仮止めで螺合する。
この駆り止め螺合の組付け過程では、係着部材本体３と抜け止め金具４はボルト５の軸に移動可能に遊嵌された状態にあり、係着部材本体３のＪ字形フック２ａ〜２ｎの自由端１１ａ〜１１ｎと抜け止め金具４の閉鎖片１６ａ〜１６ｎの間に隙間が保持されているので緩衝ホース１３の係着環１４をＪ字形フック２ａ〜２ｎの自由端１１ａ〜１１ｎから嵌合し、Ｊ字形フック２ａ〜２ｎに係合させる。
【００１８】
しかる後、前記仮止め状態のボルト５を支持フレーム１の支持部６に締め付けると、図２に示すように、係着部材本体３と抜け止め金具４が支持フレーム１に密接に結合される。その結果、係着部材本体３と切欠き１２ａ〜１２ｎが抜け止め金具４の閉鎖片１６ａ〜１６ｎによって塞がれ、Ｊ字形フック２ａ〜２ｎ先端側に隙間がなくなる。
かくして、図３に示すように、緩衝ホース１３はばね反動で跳ね上がっても先端の係着環１４は抜け止め金具４の閉鎖片１６ａ〜１６ｎに干渉され、Ｊ字形フック２ａ〜２ｎの自由端１１ａ〜１１ｎから外れることはない。
また、ボルト５を緩めるとＪ字形フック２ａ〜２ｎの自由端１１ａ〜１１ｎの先端側に隙間が生じ緩衝ホース１３の脱着が可能になる。
【００１９】
図の実施例は係着部材本体３の上部縁辺と下部縁辺の双方の折り曲げプレート９、１０にＪ字形フック２ａ〜２ｎと切欠き１２ａ〜１２ｎを、所定縦巾を介して上下二段に設け、これに対応して抜け止め金具４の上部縁辺と下部縁辺の双方に閉鎖片１６ａ〜１６ｎを上下二段に設け、これにより、緩衝ホース１３群からなるネットが二段に架設される構成を例示したが、本発明はこれに限定されるものではなく、一段構成とする場合をも包含している。
【００２０】
なお、係着部材本体３のＪ字形フック２ａ〜２ｎと、切欠き１２ａ〜１２ｎ及び抜け止め金具４の閉鎖片１６ａ〜１６ｎを二段に形成する場合は、一方の段のフックが他方の段の隣接フック間に配置され、架設された上下二段の緩衝ホース１３群が上下に千鳥状に張られるようにする。
【００２１】
図１乃至図３は緩衝ホース係着機構の片側係着部分のみを示しているが、タンク内に架設する場合は、図４に示すように、タンク内の相対する側に対向して上記と同様の機構を設け、緩衝ホース１３群の両端係着環１４を係合してネット状に架設する。
【００２２】
また、図１及び図２の実施例は、係着部材本体３のＪ字形フック２ａ〜２ｎの係合底部、すなわち、緩衝ホース１３の係着環１４の係合部が支持フレーム１の一側から他側へ向かうにつれてタンク内方への張出し寸法が長くなるように設定するとともに、これに対応して、Ｊ字形フック２ａ〜２ｎの自由端１１ａ〜１１ｎに対向する抜け止め金具４の閉鎖片１６ａ〜１６ｎのタンク内張出し寸法を抜け止め金具４の一側から他側に向かうにつれて長く設定してある。このように構成した実施例では、図５及び図６に示すように緩衝ホース１３群のたるみ深さをタンク内の一側へ傾斜させ、タンク内に透過された根菜類が緩衝ホース１３群の傾斜に沿って転がりながら通過する。
【００２３】
他方、本発明による緩衝ホース１３群のたるみ深さの配列は、これに限らず、例えば、図７に示すように、係着部材本体３のＪ字形フック２ａ〜２ｎの係合底部が係着部材本体３の両側から中央に向かうにつれてタンク内側への張出し寸法を長く設定するとともに、図は省略したが、これに対応して抜け止め金具４の閉鎖片１６ａ〜１６ｎの先端張出し寸法を両側から中央に向かうにつれて長く設定した構成にしてもよい。この実施例では、図８に示すように、架設された緩衝ホース１３群は両側から中央に向けて弛み度が深くなり、投入された根菜類は緩衝ホース１３群の両側から中央部へ向けて転がりながら下方へ通過する。
【００２４】
なお、図５乃至図８は、説明を分かり易くするために係着部材本体３に抜け止め金具４を抱き合わせる前の状態を示している。
【産業上の利用可能性】
【００２５】
根菜の落下速度を干渉する緩衝ホースが、伸縮による反動で外れることがなくなるので、根菜の損傷による歩留まりが良くなり、生産性が改善される。
また、緩衝ホースの離脱による作業中断がなくなるので収穫作業能率が向上する。
【図面の簡単な説明】
【００２６】
【図１】本発明の一実施例による緩衝ホース係着機構の構成部材説明図
【図２】図１実施例による緩衝ホース係着機構の要部構成図
【図３】図１実施例による緩衝ホース係着機構の作用説明図
【図４】本発明の緩衝ホース係着機構を用いた根菜類収納タンクの斜視図
【図５】図２実施例による緩衝ホース係着機構の要部平面図
【図６】図５実施例により架設された緩衝ホース群の弛み配列図
【図７】本発明の他の実施例による緩衝ホース係着機構の要部平面図
【図８】図７実施例により架設された緩衝ホース群の弛み配列図
【図９】従来の緩衝ホース係着機構によるホースの脱落説明図
【符号の説明】
【００２７】
１…支持フレーム
２ａ〜２ｎ…Ｊ字形フック
３…係着部材本体
４…抜け止め金具
５…ボルト
６…支持部
７…通孔
８…連結プレート
９、１０…折り曲げプレート
１１ａ〜１１ｎ…Ｊ字形フック自由端
１２ａ〜１２ｎ…切欠き
１３…緩衝ホース
１４…係着環
１５…合わせプレート
１６ａ〜１６ｎ…閉鎖片
１７…通孔
１８…支持部材
１９…Ｕ字形フック
【図１】
0004347900.tif 000002
【図２】
0004347900.tif 000003
【図３】
0004347900.tif 000004
【図４】
0004347900.tif 000005
【図５】
0004347900.tif 000006
【図６】
0004347900.tif 000007
【図７】
0004347900.tif 000008
【図８】
0004347900.tif 000009
【図９】
0004347900.tif 000010